(57)【特許請求の範囲】
【請求項１】
記録ヘッドを主走査方向に往復動させながら記録紙にインクを吐出する動作と、前記記録紙を副走査方向に間欠的に搬送する動作とを交互に繰り返して前記記録紙に記録を実行するインクジェット式記録装置にてロール紙に記録を実行する際のロール紙切断制御方法であって、
通常の記録実行制御時には、前記ロール紙上の前記副走査方向における既定長の記録領域の始端近傍及び終端近傍にてロール紙を切断し、
記録途中に記録実行制御が中断された時には、あらかじめ設定されている記録領域の終端近傍ではなく、記録を終えている記録領域の終端近傍で前記ロール紙を切断する、ことを特徴としたロール紙切断制御方法。
【請求項２】
請求項１において、ロール紙切断制御方法は、前記ロール紙を切断後、切断位置より前記副走査方向上流側の前記ロール紙の始端が、次の記録実行制御の開始位置となる如く該ロール紙を逆送する、ことを特徴としたロール紙切断制御方法。
【請求項３】
記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段と、前記記録実行手段及びロール紙切断手段を制御する記録制御部とを備えたインクジェット式記録装置であって、
前記記録制御部は、通常の記録実行制御時には、前記ロール紙上の前記副走査方向における既定長の記録実行領域の始端及び終端に所定の余白を残してロール紙を切断し、記録途中に記録実行制御が中断された時には、あらかじめ設定されている記録領域の終端近傍ではなく、記録を終えている記録領域の終端近傍で前記ロール紙を切断する、ことを特徴としたインクジェット式記録装置。
【請求項４】
請求項３において、前記記録制御部は、前記ロール紙を切断後、切断位置より前記副走査方向上流側の前記ロール紙の始端が、次の記録実行制御の開始位置となる如く該ロール紙を逆送する、ことを特徴としたインクジェット式記録装置。
【請求項５】
請求項３又は４において、前記インクジェット式記録装置は、ユーザーの操作によって記録実行制御を中断可能な記録中断手段を備える、ことを特徴としたインクジェット式記録装置。
【請求項６】
記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段とを備えたインクジェット式記録装置のロール紙切断手段の制御をコンピュータに実行させるロール紙切断制御プログラムであって、
通常の記録実行制御時には、前記ロール紙上の前記副走査方向における既定長の記録実行領域の始端及び終端に所定の余白を残してロール紙を切断する手順と、記録途中に記録実行制御が中断された時には、あらかじめ設定されている記録領域の終端近傍ではなく、記録を終えている記録領域の終端近傍で前記ロール紙を切断する手順とを有する、ことを特徴としたロール紙切断制御プログラム。
【請求項７】
請求項６において、前記ロール紙切断制御プログラムは、前記ロール紙を切断後、切断位置より前記副走査方向上流側の前記ロール紙の始端が、次の記録実行制御の開始位置となる如く該ロール紙を逆送する手順を有する、ことを特徴としたロール紙切断制御プログラム。
【発明の詳細な説明】
【０００１】
【発明の属する技術分野】
本願発明は、ロール紙に記録実行可能な構成を有するインクジェット式記録装置のロール紙切断制御方法に関する。
【０００２】
【従来の技術】
ロール紙に記録実行可能なインクジェット式記録装置としては、ロール紙を給紙路に給紙可能なロール紙給紙手段と、ロール紙カッター等のロール紙切断手段とを備え、ロール紙への記録及び記録後のロール紙を適切な切断位置で切断可能な構成を有するインクジェット式記録装置が公知である。このようなインクジェット式記録装置において、従来一般的に行われている記録実行制御、及びロール紙切断制御は、まず、記録データに含まれる記録紙サイズ情報に基づいて、ロール紙上の記録実行領域及び記録実行領域の終端近傍の切断位置が決定される。つづいて、記録実行手段によってロール紙の記録実行領域に記録が実行される。そして、あらかじめ決定されている切断位置において切断され、排紙手段によって普通紙等の単票紙と同様に排出されるものである。
【０００３】
【発明が解決しようとする課題】
このようなインクジェット式記録装置のロール紙切断制御は、例えば、インクジェット式記録装置に備えられているリセットボタン等によって、記録途中において記録実行制御が中断された時も、あらかじめ決定されている切断位置において切断されるものであった。そのため、ロール紙は、中断した残りの記録が行われていない余白部分も含まれた長さで切断されて排出される。したがって、その記録が行われていない部分のロール紙が、無駄に捨てられてしまうことになる。
【０００４】
本願発明は、このような状況に鑑み成されたものであり、その課題は、インクジェット式記録装置でロール紙に記録を実行する際に、記録途中において記録実行制御が中断された時に、無駄に捨てられてしまうロール紙を少なくすることにある。
【０００５】
【課題を解決するための手段】
上記課題を達成するため、本願請求項１に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行するインクジェット式記録装置にてロール紙に記録を実行する際のロール紙切断制御方法であって、通常の記録実行制御時には、前記ロール紙上の記録領域の始端近傍及び終端近傍にてロール紙を切断し、記録途中に記録実行制御が中断された時には、あらかじめ設定されている記録領域の終端近傍ではなく、記録を終えている記録領域の終端近傍で前記ロール紙を切断する、ことを特徴としたロール紙切断制御方法である。
【０００６】
このように、記録を中断した際には、あらかじめ設定されている記録領域の終端近傍ではなく、記録途中の記録終端近傍で、つまり記録を終えている記録領域の終端近傍でロール紙を切断するので、残りの記録が実行されていない余白部分を無駄に捨ててしまうことがない。
【０００７】
これにより、本願請求項１に記載の発明に係るロール紙切断制御方法によれば、インクジェット式記録装置でロール紙に記録を実行する際に、記録途中において記録実行制御が中断された時に、無駄に捨てられてしまうロール紙を少なくすることができるという作用効果が得られる。
【０００８】
本願請求項２に記載の発明は、請求項１において、ロール紙切断制御方法は、前記ロール紙を切断後、切断位置より前記副走査方向上流側の前記ロール紙の始端が、次の記録実行制御の開始位置となる如く該ロール紙を逆送する、ことを特徴としたロール紙切断制御方法である。
【０００９】
このように、ロール紙を切断後、切断位置より副走査方向上流側のロール紙の始端が、次の記録実行制御の開始位置となる如くロール紙を逆送するので、次のロール紙への記録開始時に、すぐに記録を開始することができる。
【００１０】
これにより、本願請求項２に記載の発明に係るロール紙切断制御方法によれば、本願請求項１に記載の発明による作用効果に加えて、ロール紙へ記録実行する際のスループットを向上させることができるという作用効果が得られる。
【００１１】
本願請求項３に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段と、前記記録実行手段及びロール紙切断手段を制御する記録制御部とを備えたインクジェット式記録装置であって、前記記録制御部は、通常の記録実行制御時には、前記ロール紙上の記録実行領域の始端及び終端に所定の余白を残してロール紙を切断し、記録途中に記録実行制御が中断された時には、あらかじめ設定されている記録領域の終端近傍ではなく、記録を終えている記録領域の終端近傍で前記ロール紙を切断する、ことを特徴としたインクジェット式記録装置である。
【００１２】
本願請求項３に記載の発明に係るインクジェット式記録装置によれば、インクジェット式記録装置において、前述した本願請求項１に記載の発明と同様の作用効果を得ることができる。
【００１３】
本願請求項４に記載の発明は、請求項３において、前記記録制御部は、前記ロール紙を切断後、切断位置より前記副走査方向上流側の前記ロール紙の始端が、次の記録実行制御の開始位置となる如く該ロール紙を逆送する、ことを特徴としたインクジェット式記録装置である。
【００１４】
本願請求項４に記載の発明に係るインクジェット式記録装置によれば、インクジェット式記録装置において、前述した本願請求項２に記載の発明と同様の作用効果を得ることができる。
【００１５】
本願請求項５に記載の発明は、請求項３又は４において、前記インクジェット式記録装置は、ユーザーの操作によって記録実行制御を中断可能な記録中断手段を備える、ことを特徴としたインクジェット式記録装置である。
【００１６】
本願請求項５に記載の発明に係るインクジェット式記録装置によれば、本願請求項３又は４に記載の発明による作用効果に加えて、インクジェット式記録装置の記録実行状況を確認しながら、いつでも、すぐにユーザーの操作によって記録実行制御を中断することができるという作用効果が得られる。
【００１７】
本願請求項６に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段とを備えたインクジェット式記録装置のロール紙切断手段を制御するロール紙切断制御プログラムであって、通常の記録実行制御時には、前記ロール紙上の記録実行領域の始端及び終端に所定の余白を残してロール紙を切断する手順と、記録途中に記録実行制御が中断された時には、あらかじめ設定されている記録領域の終端近傍ではなく、記録を終えている記録領域の終端近傍で前記ロール紙を切断する手順とを有する、ことを特徴としたロール紙切断制御プログラムである。
【００１８】
本願請求項６に記載の発明に係るロール紙切断制御プログラムによれば、前述した本願請求項１に記載の発明と同様の作用効果を得ることができるとともに、このロール紙切断制御プログラムを実行することができる任意のインクジェット式記録装置に、前述した本願請求項１に記載の発明と同様の作用効果をもたらすことができる。
【００１９】
本願請求項７に記載の発明は、請求項６において、前記ロール紙切断制御プログラムは、前記ロール紙を切断後、切断位置より前記副走査方向上流側の前記ロール紙の始端が、次の記録実行制御の開始位置となる如く該ロール紙を逆送する手順を有する、ことを特徴としたロール紙切断制御プログラムである。
【００２０】
本願請求項７に記載の発明に係るロール紙切断制御プログラムによれば、前述した本願請求項２に記載の発明と同様の作用効果を得ることができるとともに、このロール紙切断制御プログラムを実行することができる任意のインクジェット式記録装置に、前述した本願請求項２に記載の発明と同様の作用効果をもたらすことができる。
【００２１】
【発明の実施の形態】
以下、本願発明の一実施の形態を図面に基づいて説明する。
【００２２】
図１は、本願発明に係るインクジェット式記録装置の一実施の形態を示した概略の平面図であり、図２はその側面図である。
【００２３】
インクジェット式記録装置５０には、普通紙等の単票紙、及びロール紙Ｐ等の長尺な記録紙に記録を実行する記録手段として、キャリッジガイド軸５１に軸支され、主走査方向Ｘに移動するキャリッジ６１が設けられている。キャリッジ６１には、記録紙にインクを吐出して記録を行う記録ヘッド６２が搭載されている。記録ヘッド６２と対向して、記録ヘッド６２のヘッド面と記録紙とのギャップを規定するプラテン５２が設けられている。そして、キャリッジ６１を主走査方向Ｘに搬送し、キャリッジ６１とプラテン５２の間に記録紙を副走査方向Ｙに搬送しながら、記録ヘッド６２が記録紙にインクを吐出することで記録紙に記録が行われる。
【００２４】
給紙トレイ３１は、例えば普通紙やフォト紙等の単票紙を給紙可能な構成となっており、単票紙を自動給紙するためのＡＳＦ（オート・シート・フィーダー）が設けられている。ＡＳＦは、給紙トレイ３１に設けられた２つの給紙ローラ２２及び図示してない分離パッドを有する給紙機構である。給紙ローラ２２は、ステッピングモータ等の回転駆動力により回転制御され、Ｄ形の断面形状を有している。この２つの給紙ローラ２２の１つは、給紙トレイ３１の一方側に配置され、もう１つの給紙ローラ２２は、記録紙ガイド３２に取り付けられており、記録紙ガイド３２は、記録紙の幅に合わせて符号Ａで示した矢印の方向に摺動可能に給紙トレイ３１に設けられている。そして、給紙ローラ２２の回転駆動力と、分離パッドの摩擦抵抗により、給紙トレイ３１に置かれた複数の単票紙を給紙する際に、複数の単票紙が一度に給紙されることなく、１枚ずつ正確に自動給紙される。
【００２５】
また、給紙トレイ３１の後方には、ロール紙ホルダ２１が設けられている。ロール紙ホルダ２１は、ロール紙支持軸２３が取り付けられたロール紙Ｐを回転可能に軸支している。ロール紙Ｐは、図２に示したように給紙トレイ３１を経由して給紙される。
【００２６】
そして、給紙された単票紙若しくはロール紙Ｐは、給紙ローラより副走査方向の下流側に配設された搬送ローラにより、記録実行領域側となる副走査方向Ｙの下流側に向けて、所定の紙送り量で間欠的に搬送される。
【００２７】
また、記録紙を副走査方向Ｙに間欠的に搬送する記録紙搬送手段として、搬送駆動ローラ５３と搬送従動ローラ５４が設けられている。搬送駆動ローラ５３は、ステッピングモータ等の回転駆動力により回転制御され、搬送駆動ローラ５３の回転により、記録紙は副走査方向Ｙに搬送される。搬送従動ローラ５４は複数設けられており、それぞれ個々に搬送駆動ローラ５３に付勢され、記録紙が搬送駆動ローラ５３の回転により搬送される際に、記録紙に接して記録紙の搬送に従動して回転する。
【００２８】
また、給紙ローラ２２と搬送駆動ローラ５３との間には、従来技術において公知の技術による紙検出器２４が配設されている。紙検出器２４は、立位姿勢への自己復帰習性が付与され、かつ記録紙搬送方向にのみ回動し得るよう記録紙の搬送経路内に突出する状態で枢支されたレバーを有し、このレバーの先端が記録紙に押されることでレバーが回動し、それによって記録紙が検出される構成を成す検出器である。
【００２９】
一方、記録された記録紙を排紙する手段として、排紙駆動ローラ５５と排紙従動ローラ５６が設けられている。排紙駆動ローラ５５は、ステッピングモータ等の回転駆動力により回転制御され、排紙駆動ローラ５５の回転により、記録紙は副走査方向Ｙに排紙される。排紙従動ローラ５６は複数設けられ、周囲に複数の歯を有し、各歯の先端が記録紙の記録面に点接触するように鋭角的に尖っている歯付きローラとなっている。それぞれ個々に排紙駆動ローラ５５に搬送従動ローラ５４の付勢力よりも弱い付勢力で付勢され、記録紙が排紙駆動ローラ５５の回転により排紙される際に、記録紙に接して記録紙の排紙に従動して回転する。
【００３０】
そして、排紙駆動ローラ５５及び排紙従動ローラ５６の副走査方向下流側には、ロール紙Ｐを切断するロール紙カッター５７が設けられており、ロール紙Ｐは、記録終了後に切断すべき位置で、ロール紙カッター５７により切断される。尚、ロール紙カッター５７は、当該実施例においては、鋭利な刃でロール紙を符号Ｚで示した矢印の方向に上下から挟み切るものであるが、例えばロータリーカッター等、他の切断装置でも本願発明の実施は可能である。
【００３１】
さらに、インクジェット式記録装置５０には、実行中の記録を中断するための記録中断ボタン５８が、インクジェット式記録装置５０の操作しやすい位置に配設されている。この、記録中断ボタン５８を操作することによって、実行中の普通紙等の単票紙、又はロール紙Ｐへの記録を、いつでも、すぐに中断させることができるものである。
【００３２】
また、インクジェット式記録装置５０は、記録制御部１を備えている。記録制御部１は、図示していないＣＰＵ（中央演算処理ユニット）、及びＲＯＭ、ＲＡＭ等のＣＰＵ周辺ユニットを有しており、記録実行制御及びロール紙切断制御等のインクジェット式記録装置５０の制御プログラムを実行して、インクジェット式記録装置５０の制御が実行する機能を有している。
【００３３】
図３は、本願発明に係るロール紙切断制御の手順を示した概略のフローチャートである。
【００３４】
まず、給紙されたロール紙Ｐに対して、記録動作が実行され（ステップＳ１）、給紙されたロール紙Ｐは、記録実行領域において、紙送り駆動ローラ５３の駆動回転により、副走査方向Ｙに間欠的に紙送りされ、主走査方向Ｘに往復動するキャリッジ６１に搭載された記録ヘッド６２からインクを吐出されて、ロール紙Ｐの記録面に記録が実行される。
【００３５】
つづいて、記録途中に記録中断制御要求の有無を判定する（ステップＳ２）。ここでの記録中断制御要求は、例えば、インクジェット式記録装置５０に設けられている記録中断ボタン５８を操作することによる記録中断制御要求や、インクジェット式記録装置５０に接続されているパーソナル・コンピュータ等の情報処理装置（図示せず）からの記録中断制御要求等を意味する。記録中断制御要求がない場合には（ステップＳ２でＮｏ）、つづいて、記録データの有無を確認して、記録終了か否かを判定する（ステップＳ３）。記録データがあり、記録が終了していない場合には（ステップＳ３でＮｏ）、ステップＳ１に戻って引き続き記録動作を実行する。
【００３６】
また、記録データがなく記録が終了している場合には（ステップＳ３でＹｅｓ）、所定の切断位置、つまりロール紙上の副走査方向における既定長の記録領域の終端近傍までロール紙Ｐを搬送し（ステップＳ４）、その所定の切断位置でロール紙Ｐを切断する（ステップＳ５）。そして、切断後、副走査方向上流側のロール紙Ｐの始端が、記録実行開始位置となる位置まで、ロール紙Ｐを逆送する（ステップＳ６）。
【００３７】
一方、ステップＳ２において、記録中断制御要求があった場合には（ステップＳ２でＹｅｓ）、記録途中の記録終端位置までロール紙Ｐを搬送する（ステップＳ７）。そして、記録途中の記録終端位置でロール紙Ｐを切断し（ステップＳ５）、切断後、副走査方向上流側のロール紙Ｐの始端が、記録実行開始位置となる位置まで、ロール紙Ｐを逆送する（ステップＳ６）。
【００３８】
図４〜図９は、ロール紙Ｐに記録が実行される過程を示したインクジェット式記録装置５０の概略の平面図である。以下、図４〜図９を参照しながら、ロール紙Ｐに記録を実行する制御手順について説明する。
【００３９】
図４は、ロール紙Ｐを給紙した状態を示したものである。ロール紙ホルダ２１に回転可能に軸支されているロール紙Ｐは、給紙トレイ３１を経由して、給紙される。そして、図示の如く、ロール紙Ｐの始端が記録実行開始位置に到達するまで、搬送駆動ローラ５３によって搬送される。
【００４０】
図５は、ロール紙Ｐに記録が実行されている状態を示したものである。ロール紙Ｐは、主走査方向Ｘに往復動するキャリッジ６１に搭載された記録ヘッド６２からインクが吐出され、搬送ローラ５３の回転によって副走査方向Ｙに間欠的に搬送されて記録が実行される。尚、ロール紙Ｐの記録面上の斜線部分は、記録済みの記録領域を示すものであり、以下、同様である。
【００４１】
図６は、ロール紙Ｐへの記録が終了した状態を示したものであり、図７は、記録が終了したロール紙Ｐを所定の切断位置まで搬送した状態を示したものである。そして、図８に示したように、ロール紙カッター５７によって切断される。また、図９に示したように、切断後、切断位置より副走査方向上流側のロール紙Ｐの始端が、次の記録実行制御の開始位置となる如くロール紙Ｐを符号Ｂの矢印で示した方向に逆送する。
【００４２】
次に、ロール紙Ｐへの記録実行中に、前述した記録中断ボタン５８の操作等によって、記録が中断された時の制御手順について説明する。図１０は、図５に示した記録途中の時点で、記録が中断され、記録途中の記録終端近傍でロール紙Ｐを切断する位置まで、ロール紙Ｐを搬送した状態を示したものである。そして、図１１に示したように、ロール紙カッター５７によって切断され、図９に示したように、切断後、切断位置より副走査方向上流側のロール紙Ｐの始端が、次の記録実行制御の開始位置となる如くロール紙Ｐを符号Ｂの矢印で示した方向に逆送する。
【００４３】
また、図１２及び図１３は、参考までに、従来の記録中断時においても通常のロール紙切断制御手順を実行するロール紙切断制御を示したものである。図１２及び図１３に示したように、記録が行われていない記録領域も含まれた切断位置までロール紙Ｐが搬送されて切断されるので、その分のロール紙Ｐが無駄に捨てられることになってしまう。
【００４４】
このようにして、記録実行途中に記録中断制御要求があった場合には、記録途中の記録終端位置までロール紙Ｐを搬送し、記録途中の記録終端位置でロール紙Ｐを切断することによって、無駄に捨てられてしまうロール紙Ｐを少なくすることができる。
【００４５】
尚、本願発明は上記実施例に限定されることなく、特許請求の範囲に記載した発明の範囲内で、種々の変形が可能であり、それらも本願発明の範囲内に含まれるものであることは言うまでもない。
【００４６】
【発明の効果】
本願発明によれば、インクジェット式記録装置でロール紙に記録を実行する際に、記録途中において記録実行制御が中断された時に、無駄に捨てられてしまうロール紙を少なくすることが可能になる。
【図面の簡単な説明】
【図１】本願発明に係るインクジェット式記録装置の一実施の形態を示した概略の平面図である。
【図２】本願発明に係るインクジェット式記録装置の一実施の形態を示した概略の側面図である。
【図３】本願発明に係るロール紙切断制御の手順を示した概略のフローチャートである。
【図４】ロール紙に記録が実行される過程を示したインクジェット式記録装置の概略の平面図であり、ロール紙を給紙した状態を示したものである。
【図５】ロール紙に記録が実行される過程を示したインクジェット式記録装置の概略の平面図であり、ロール紙に記録が実行されている状態を示したものである。
【図６】ロール紙に記録が実行される過程を示したインクジェット式記録装置の概略の平面図であり、ロール紙への記録が終了した状態を示したものである。
【図７】ロール紙に記録が実行される過程を示したインクジェット式記録装置の概略の平面図であり、記録が終了したロール紙を所定の切断位置まで搬送した状態を示したものである。
【図８】ロール紙に記録が実行される過程を示したインクジェット式記録装置の概略の平面図であり、記録後のロール紙がロール紙カッターによって切断された状態を示したものである。
【図９】ロール紙に記録が実行される過程を示したインクジェット式記録装置の概略の平面図であり、ロール紙の始端が次の記録実行制御の開始位置となる如くロール紙を逆送した状態を示したものである。
【図１０】ロール紙に記録が実行される過程を示したインクジェット式記録装置の概略の平面図であり、記録途中の時点で記録が中断され、記録途中の記録終端近傍でロール紙を切断する位置まで、ロール紙を搬送した状態を示したものである。
【図１１】ロール紙に記録が実行される過程を示したインクジェット式記録装置の概略の平面図であり、記録後のロール紙が、記録途中の記録終端近傍でロール紙カッターによって切断された状態を示したものである。
【図１２】ロール紙に記録が実行される過程を示したインクジェット式記録装置の概略の平面図であり、記録途中の時点で記録が中断された後、通常の記録と同様にロール紙を所定の切断位置まで搬送した状態を示したものである。
【図１３】ロール紙に記録が実行される過程を示したインクジェット式記録装置の概略の平面図であり、記録途中のロール紙を通常の記録と同様に、所定の切断位置で切断した状態を示したものである。
【符号の説明】
１    記録制御部
２１  ロール紙ホルダ
２２  給紙ローラ
２４  紙検出器
３１  給紙トレイ
３２  記録紙ガイド
５０  インクジェット式記録装置
５１  キャリッジガイド軸
５２  プラテン
５３  搬送駆動ローラ
５４  搬送従動ローラ
５５  排紙駆動ローラ
５６  排紙従動ローラ
５７  ロール紙カッター
５８  記録中断ボタン
６１  キャリッジ
６２  記録ヘッド
Ｐ    ロール紙
Ｘ    主走査方向
Ｙ    副走査方向
【図１】
0003915887.tif 000002
【図２】
0003915887.tif 000003
【図３】
0003915887.tif 000004
【図４】
0003915887.tif 000005
【図５】
0003915887.tif 000006
【図６】
0003915887.tif 000007
【図７】
0003915887.tif 000008
【図８】
0003915887.tif 000009
【図９】
0003915887.tif 000010
【図１０】
0003915887.tif 000011
【図１１】
0003915887.tif 000012
【図１２】
0003915887.tif 000013
【図１３】
0003915887.tif 000014